(57)【特許請求の範囲】
【請求項１】
携行型時計ケース（１）に取り付けられるように意図された表盤（２）であって、
当該表盤（２）は、脆弱な材料によって作られたプレート（３）を備え、
前記プレート（３）は、水平面を定め、前記プレート（３）には、少なくとも１つの足部（３ｂ）の取り付け点を形成する少なくとも１つのハウジング（３ａ）が形成されており、
前記足部（３ｂ）は、本体と、及び前記少なくとも１つのハウジング（３ａ）内にて載置されるように構成している頭部とによって構成しており、
前記足部の前記頭部には、形状記憶合金によって作られたリング状要素（３１）を受けるように構成している環状の溝（３０）が形成されており、
前記リング状要素（３１）は、前記リング状要素（３１）が前記溝（３０）内に位置する収縮位置から、前記足部が前記ハウジング（３ａ）内に機械的に保持される載置位置へと動くことができる
ことを特徴とする表盤（２）。
【請求項２】
前記ハウジングには、前記プレート（３）の面の１つにて開いている開口が形成されており、
前記ハウジングには、断面が円筒形の断面となっている深い部分である第１の部分と、断面が切断円錐の形の断面となっている浅い部分である第２の部分がある
ことを特徴とする請求項１に記載の表盤（２）。
【請求項３】
前記ハウジング（３ａ）の深さは、当該表盤（２）を形成する前記プレート（３）の厚みよりも小さく、前記足部が良好に保持されるように前記足部の前記頭部の高さよりも十分に大きい
ことを特徴とする請求項１又は２に記載の表盤（２）。
【請求項４】
前記リング状要素は、ニッケルとチタンの合金によって作られている
ことを特徴とする請求項１〜３のいずれか一項に記載の表盤（２）。
【請求項５】
前記ハウジング（３ａ）の形は、前記足部の形に対して相補的な形である
ことを特徴とする請求項１〜４のいずれか一項に記載の表盤（２）。
【請求項６】
前記表盤を形成する前記プレート（３）は、セラミックス、真珠質、アベントリン、サファイア及びケイ素からなる群から選択される脆弱な材料によって作られている
ことを特徴とする請求項１〜５のいずれか一項に記載の表盤（２）。
【請求項７】
請求項１〜６のいずれか一項に記載の表盤（２）を備え、
当該携行型時計ケース（１）には、裏部カバー（８）と、風防（５）と、及びこの裏部カバー（８）とこの風防（５）の間の接合要素とが設けられ、
この接合要素は、一又は複数の部品によって作られ、ケースミドル部（７）を備える
ことを特徴とする携行型時計ケース（１）。
【請求項８】
空間の境界を定める携行型時計ケース（１）を備え、
この空間の中に請求項１〜６のいずれか一項に記載の表盤（２）が取り付けられている
ことを特徴とする携行型時計。
【発明の詳細な説明】
【技術分野】
【０００１】
本発明は、脆弱な材料によって作られ、足部を備える、計時器用の表盤（dial）に関する。本発明は、さらに、このような表盤を作る方法に関する。
【０００２】
本発明は、さらに、脆弱な材料によって作られた表盤を備える携行型時計ケースに関する。
【０００３】
本発明は、さらに、携行型時計ケースを備える携行型時計（例、腕時計、懐中時計）に関する。
【背景技術】
【０００４】
携行型時計の表盤は、セラミックス、真珠質、アベンチュリン（ａｖｅｎｔｕｒｉｎｅ）のような脆弱な材料によって作られることがある。このような材料の外観は、魅力的であり審美的に優れているが、足部を備える支持体を追加する必要があるために厚みが大きく、多くの組み付け工程を必要とし、そして、脆弱であるために厚みが大きいという課題がある。
【０００５】
伝統的な構造では、表盤は、一方が他方の上にて結合する２つのプレートを備え、これらの２つのプレートは、黄銅のような金属材料によって作られる支持プレートと、風防を通して見ることができ関心事の脆弱な材料によって作られる可視プレートである。この構造では、支持プレートには、さらに、表盤をポジショニングするための足部がある。
【０００６】
また、例えば、スイス特許文献ＣＨ３５２９６２に記載されているような、足部がある「サンドイッチ」表盤が知られている。足部は、第１の金属プレートに溶接され、この第１の金属プレート上に、表盤の可視面を形成する第２の金属プレートが溶接され又は接着される。この表盤の可視面は、時間記号がレリーフ状に形成されているが、特定の被覆はされていない。
【０００７】
また、欧州特許文献ＥＰ１５３８４９３によって、第１のセラミックス要素によって構成しているポジショニング用足部を備えるエナメル表盤が知られている。このポジショニング用足部は、少なくとも１つの足部が取り付けられる第２の要素に組み付けられる。このエナメル表盤においては、前記第１の要素の外面が１つ又は２つのエナメル層で被覆され、第２の要素には、少なくとも１つのハウジングが形成され、これによって、接着剤又は溶接ジョイントによる第１及び第２の要素の組み付けの前に、圧入及び／又は接着剤結合による足部の取り付けが可能になる。
【発明の概要】
【発明が解決しようとする課題】
【０００８】
このような状況で、本発明は、脆弱な材料によって作られた薄い表盤と、工程数が少ないような足部が取り付けられる表盤を作る方法を提供することによって、従来技術の課題を解決することを目的とする。
【０００９】
このようにして、本発明は、大きさが伝統的な構成と同様であるが、強くするために脆弱な材料のプレートを厚くする目的で金属プレートがなくなっているような、脆弱な材料によって作られた表盤を提供することを目的とする。
【００１０】
上記を達成するために、本発明は、携行型時計ケースに取り付けられるように意図された表盤に関する。この表盤は、脆弱な材料によって作られたプレートを備え、プレートは、水平面を定め、プレートには、少なくとも１つの足部の取り付け点を形成する少なくとも１つのハウジングが形成されている。足部は、本体と、及び少なくとも１つのハウジング内にて載置されるように構成している頭部とによって形成されている。足部には、形状記憶合金によって作られたリング状要素を受けるように構成している環状の溝が形成されており、リング状要素は、収縮位置から、足部がハウジング内に機械的に保持される解放位置へと動くことができる。
【００１１】
従属請求項２〜６に、当該表盤の特定の実施形態が定められている。
【００１２】
上記を達成するために、本発明は、さらに、請求項１〜６に記載の表盤を備える携行型時計ケースに関する。
【００１３】
上記を達成するために、本発明は、さらに、上述した携行型時計ケースを備える携行型時計に関する。
【００１４】
図示されている少なくとも１つの実施形態に基づく以下の説明を読むことによって本発明に係る表盤の目的、利点及び特徴を明確に理解することができるであろう。なお、これに限定されない。
【図面の簡単な説明】
【００１５】
【図１】本発明の実施形態に係る表盤を備える携行型時計ケースの断面図である。
【図２】図１の表盤の断面図である。
【図３】本発明に係る表盤の足部の断面図である。
【発明を実施するための形態】
【００１６】
本発明は、計時器用ムーブメントＭを備える携行型時計ケース内にて取り付けられるように構成している表盤の構成に関し、この計時器用ムーブメントＭに表盤２が取り付けられ、この表盤２の上にて、計時器用ムーブメントＭによって駆動される時針Ｈ、分針Ｍ、秒針Ｓが動く。図１を参照すると、表盤２には、脆弱な材料によって作られたプレート３がある。「脆弱な材料」とは、加工操作の後又は衝撃の影響を受けて、破損／亀裂が発生する可能性のあるあらゆる材料を意味する。例として少数を挙げると、脆弱な材料は、セラミックス、アベンチュリンのような石英の品種の１つ、サファイア、真珠質、ケイ素であることができる。
【００１７】
伝統的な形態において、携行型時計ケース１は、風防５と、裏部カバー８と、風防５と裏部カバー８の間の接合要素とを備え、この接合要素は、一又は複数の部材によって作られており、ベゼル６とケースミドル部７を備える。脆弱なプレート３の表側は風防５の方を向いており、このプレートの裏側は携行型時計ケース１の裏部カバー８の方を向いており、プレート３は、水平面を定める表盤を形成する。伝統的な形態にて、プレート３には、針アーバー１０を通すための少なくとも１つのオリフィス９の穴が形成されている。
【００１８】
裏側では、表盤を形成するプレート３には、足部３ｂが中に配置される少なくとも１つのハウジング３ａが形成されており、このハウジングは足部の取り付け点を定める。伝統的な形態にて、足部は、本体と、前記少なくとも１つのハウジング内に載置されるように構成している頭部とを備え、この足部は、回転体である円筒の形態であり、足部の頭部と本体は、同じ直径を有する。
【００１９】
表盤２のハウジング３ａは、機械加工、ミリング、レーザーアブレーションのような任意の適切な手段によって作ることができ、また、支持体の型内にて直接作ることができる。例えば、セラミックス支持体の場合、未加工のセラミックスを機械加工したり又はレーザーアブレーションしたりすることによって凹みを形成することができ、その後に、その凹んだ支持体を焼成し緻密化する。
【００２０】
本発明によると、足部３ｂの頭部には環状の溝３０があり、これは、第１の形状記憶合金によって作られたリング状要素３１を受けるように構成している。リング状要素３１は、溝内に位置する収縮位置と呼ばれる第１の位置から、載置位置と呼ばれる第２の位置へと動くことができ、この第２の位置においては、リング状要素３１が元の形に戻るか、少なくとも部分的に環状溝３０から突き出て、ハウジングの壁に接触し、足部をハウジング内に機械的に保持する。このリング状要素３１は、Nitinolの名称で知られるニッケルとチタンの合金のような形状記憶合金によって作られている。
【００２１】
リング状要素３１は、８つの丸まった点３０がある星形の形態であることができる。この幾何学的構成によって、環状のリング状要素と比べてリング状要素３１の変形が良好であることを確実にする。なぜなら、このようなリング状要素３１の断面は環状のリング状要素よりも小さいからである。
【００２２】
このような幾何学的構成の別の利点として、ハウジング３ａの壁との接触点がいくつか得られることがあり、これによって、より小さい表面積に大きな力を加えることが可能となり、良好な保持を確実にすることができる。
【００２３】
当業者であれば、同様の効果を得るためにリング状要素の形を適応させることは特に難しくなく、例えば、５、６又は９個の丸まった点を備える星形を得るように、星形の丸まった点の数を減少又は増加させることができる。
【００２４】
図２に示しているように、ハウジングには、プレート３の面の一方、この場合は裏側、にて開いている開口があり、この開口のすぐ近くに、断面が円筒形の断面となっている深い部分と呼ばれる第１の部分と、断面が切断円錐の形の断面となっている浅い部分と呼ばれる第２の部分がある。
【００２５】
有利な形態において、ハウジング３ａには、わずかにテーパー状となっている部分があり、このハウジングの断面は、その深さが深くなるにしたがってわずかに大きくなって、ハウジングの壁がわずかに傾斜して足部とハウジングの傾斜壁との間の空間が大きくなり、これによって、リング状要素３１の変形を容易にすることが可能になり、足部の機械的固定を効率的にすることが可能になる。
【００２６】
本発明によると、ハウジング３ａの深さは、表盤を形成するプレートの厚みよりも小さく、足部が良好に保持されるように足部の頭部の高さよりも十分に大きい。
【符号の説明】
【００２７】
１  携行型時計ケース
２  表盤
３  プレート
３ａ  ハウジング
３ｂ  足部
５  風防
７  ケースミドル部
８  裏部カバー
３０  溝
３１  リング状要素
Ｍ  ムーブメント
【要約】
【課題】  脆弱な材料によって作られた薄い表盤と、工程数が少ないような足部が取り付けられる表盤を作る方法を提供する。
【解決手段】  本発明は、携行型時計ケース（１）に取り付けられるように意図された表盤（２）に関する。この表盤（２）は、脆弱な材料によって作られたプレート（４）を備え、プレート（３）は、水平面を定め、プレート（３）には、少なくとも１つの足部（３ｂ）の取り付け点を形成する少なくとも１つのハウジング（３ａ）が形成されている。足部（３ｂ）は、本体と、及び少なくとも１つのハウジング（３ａ）内にて載置されるように構成している頭部とによって形成されている。足部には、形状記憶合金によって作られたリング状要素（３１）を受けるように構成している環状の溝（３０）が形成されており、リング状要素（３１）は、収縮位置から、足部がハウジング（３ａ）内に機械的に保持される解放位置へと動くことができる。
【選択図】  図１【図１】
0006826231.tif 000002
【図２】
0006826231.tif 000003
【図３】
0006826231.tif 000004